(57)【要約】【課題】従来の調光方法では、ＬＥＤの低出力時にユーザーがフリッカ（ちらつき）を知覚しないように為された調光方法であるが、人間がフリッカを知覚し易いＬＥＤの出力変更の変更開始時に変化させるＬＥＤの強度が大きいので、依然としてユーザーがフリッカを知覚することを解消することができていなかった。【解決手段】本願発明の照明装置は、光源と、該光源の強度を制御する制御部とを備える照明装置であって、前記制御部は、前記光源の強度を現在強度から所定の目標強度に変更して制御する場合において、前記強度の変更の初期に、前記光源の強度の変更によって生じるフリッカを低減するための調整期間を設けたことを特徴とする。【選択図】図１
2010177136.tif 000002
【特許請求の範囲】
【請求項１】
光源と、該光源の強度を制御する制御部とを備える照明装置であって、
前記制御部は、前記光源の強度を現在強度から所定の目標強度に変更して制御する場合において、前記強度の変更の初期に、前記光源の強度の変更によって生じるフリッカを低減するための調整期間を設けたことを特徴とする照明装置。
【請求項２】
前記調整期間における前記光源の強度の変化率を、前記調整期間後の前記光源の強度の変化率よりも小さくしたことを特徴とする請求項１に記載の照明装置。
【請求項３】
前記制御部は、前記光源の強度の変化率の段階的に大きくして、前記光源の強度を現在強度から所定の目標強度に変更して制御することを特徴とする請求項１または請求項２に記載の照明装置。
【請求項４】
前記目標強度と前記現在強度との差に関わらず、略一定期間で前記光源の強度を現在強度から所定の目標強度に変更して制御することを特徴とする請求項１から請求項３までの何れか１項に記載の照明装置。
【請求項５】
前記目標強度と前記現在強度との差に応じて、前記段階の段階数が調整されることを特徴とする請求項１から請求項４までの何れか１項に記載の照明装置。
【請求項６】
前記光源の強度の単位強度あたりの変化時間を調整することにより前記変化率の調整をしたことを特徴とする請求項１から請求項５までの何れか１項に記載の照明装置。
【請求項７】
前記光源の強度を変更している途中に、新たな目標強度が設定された場合において、
前記制御部は、前記新たな目標照度が設定された時点の変化率から、変化率を段階的に大きくして、前記光源の強度を前記新たな目標強度に変更して制御することを特徴とする請求項１から請求項５の何れか１項に記載の照明装置。
【請求項８】
前記光源は発光ダイオードであることを特徴とする請求項１から請求項７までの何れか１項に記載の照明装置。
【請求項９】
光源の強度を現在強度から所定の目標強度に変更して制御する調光方法において、
前記強度の変更の初期に、光源の強度の変更によるフリッカを低減するための調整期間を有することを特徴とする調光方法。
【発明の詳細な説明】
【技術分野】
【０００１】
本発明は、光源の強度を変更して調光する照明装置および調光方法に関する。
【背景技術】
【０００２】
近年、発光ダイオード（以下、ＬＥＤと記す）を光源とするＬＥＤ照明装置が開発されており、ＬＥＤ照明装置の調光時のフリッカ（ちらつき）を低減することを目的としたＬＥＤ照明装置の調光方法が提案されている。（例えば特許文献１）
特許文献１に記載の調光方法は、人間の目がＬＥＤの出力としての強度が低強度時にフリッカを知覚し易いことに鑑みて為されたＬＥＤ照明装置の調光方法であり、図９に示したのは、ＬＥＤを２つの強度間で非線形に遷移させるように出力を変更する調光方法の実施形態を示すグラフである。なお、グラフの縦軸はＬＥＤの強度を示し、横軸は時間を示している。図９に示すように、前記調光方法は、時間ｔ０に強度Ｉ０からＬＥＤの出力の変更を開始し、時間ｔ１に強度Ｉ１になるようにＬＥＤの出力を変更して調光を終了する。一定の時間間隔内に変化させるＬＥＤの強度の大きさを、ＬＥＤの強度がＩ０からＩ１に遷移させるにつれて、徐々に小さくなるようにしているので、人間の目にはフリッカが低減されているように知覚される。
【先行技術文献】
【特許文献】
【０００３】
【特許文献１】特開２００８−１１７７７３号公報
【発明の概要】
【発明が解決しようとする課題】
【０００４】
しかし、前記特許文献１に記載されている調光方法では、ＬＥＤの出力変更の開始時に依然としてフリッカが知覚されることが発明者らの実験により分かった。つまり、人間はＬＥＤの出力を変更して強度が変化する際にフリッカを知覚し易いので、出力変更開始時に変化させるＬＥＤの強度が大きい前記調光方法では、人間がフリッカを知覚することを解消することができないという問題があった。本願発明は、前記問題に鑑みて為されたものであり、光源の強度を変更して調光する際のフリッカをユーザーが知覚することを抑制したことを特徴とする照明装置および調光方法を提供することを目的とする。
【課題を解決するための手段】
【０００５】
本発明の照明装置は、光源と、該光源の強度を制御する制御部とを備える照明装置であって、前記制御部は、前記光源の強度を現在強度から所定の目標強度に変更して制御する場合において、前記強度の変更の初期に、前記光源の強度の変更によって生じるフリッカを低減するための調整期間を設けたことを特徴とする。
【０００６】
本発明によれば、人間がフリッカを知覚し易い光源の強度の変更開始の初期に調整期間を設けているので、ユーザーがフリッカを知覚することを抑制することが可能である。
【０００７】
本発明の照明装置は、さらに、前記調整期間における前記光源の強度の変化率を、前記調整期間後の前記光源の強度の変化率よりも小さくしたことを特徴とする。
【０００８】
本発明によれば、人間がフリッカを知覚し易い光源の強度の変更開始の初期に調整期間を設け、該調整期間における強度の変化率を調整期間後の変化率よりも小さく設定することにより、光源の変化させる強度の大きさを小さくできるので、ユーザーがフリッカを知覚することを抑制することが可能である。
【０００９】
本発明の照明装置は、さらに、前記制御部は、前記光源の強度の変化率の段階的に大きくして、前記光源の強度を現在強度から所定の目標強度に変更して制御することを特徴とする。
【００１０】
本発明によれば、フリッカを知覚し易い強度の変更開始の初期に変化率を小さくして、ユーザーがフリッカを知覚することを抑制するとともに、フリッカを知覚し難い強度の変更継続中に変化率を大きくして、光源の強度を目標強度に迅速に設定することが可能となる。
【００１１】
本発明の照明装置は、さらに、前記目標強度と前記現在強度との差に関わらず、略一定期間で前記光源の強度を現在強度から所定の目標強度に変更して制御することを特徴とする。
【００１２】
本発明によれば、目標強度と現在強度の強度差の大小に関わらず、略一定の期間で調光が終了するので、調光に要する時間が異なることによる違和感をユーザーに与えることを抑制することが可能である。
【００１３】
本発明の照明装置は、さらに、前記目標強度と前記現在強度との差に応じて、前記段階の段階数が調整されることを特徴とする。
【００１４】
本発明によれば、目標強度と現在強度の強度差の大小に関わらず、略一定の期間で調光が終了するので、調光に要する時間が異なることによる違和感をユーザーに与えることを抑制することが可能である。
【００１５】
本発明の照明装置は、さらに、前記光源の強度の単位強度あたりの変化時間を調整することにより前記変化率の調整をしたことを特徴とする。
【００１６】
本発明によれば、単位強度あたりの変化時間を調整することで変化率を調整することができるので、高性能の制御部（マイコン）を用いることなく、複数段階の変化率を設定することが可能である。
【００１７】
本発明の照明装置は、さらに、前記光源の強度を変更している途中に、新たな目標強度が設定された場合において、前記制御部は、前記新たな目標照度が設定された時点の変化率から、変化率を段階的に大きくして、前記光源の強度を前記新たな目標強度に変更して制御することを特徴とする。
【００１８】
本発明によれば、目標強度の変更があって新たに目標強度が設定されても、最も変化率が小さい１段階目の調光から繰返し複数段階で調光を行わずに、新たな目標強度が設定された時の変化率を基にして、段階的に変化率が大きくして調光を行うので、スムーズな調光が可能となる。
【００１９】
本発明の照明装置は、さらに、前記光源は発光ダイオードであることを特徴とする。
【００２０】
本発明によれば、ＬＥＤ照明装置において、ユーザーがフリッカを知覚することを抑制することが可能である。
【００２１】
本発明の調光方法は、光源の強度を現在強度から所定の目標強度に変更して制御する調光方法において、前記強度の変更の初期に、光源の強度の変更によるフリッカを低減するための調整期間を有することを特徴とする。
【００２２】
本発明によれば、人間がフリッカを知覚し易い光源の強度の変更開始の初期に調整期間を設けているので、ユーザーがフリッカを知覚することを抑制することが可能である。
【発明の効果】
【００２３】
本願発明によれば、光源の強度を変更して調光する際のフリッカをユーザーが知覚することを抑制することが可能である。
【図面の簡単な説明】
【００２４】
【図１】実施の形態１のシーリングライトの光源の出力を変更した時の光源の強度の変化を示すグラフである。
【図２】実施の形態１のシーリングライトが設置された室内を示す概念図である。
【図３】実施の形態１のシーリングライトの構成を示すブロック図である。
【図４】強度差の大きさに応じて選択される調光パターンを示す表である。
【図５】実施の形態１のシーリングライトの光源の目標強度を調光の途中で変更した場合の光源の強度の変化を示すグラフである。
【図６】実施の形態１のシーリングライトの操作ＳＷの入力を検出する制御フロー図である。
【図７】実施の形態１のシーリングライトのＰＷＭ出力を１変更する制御フロー図である。
【図８】実施の形態１のシーリングライトのＰＷＭ出力を１変更する制御フロー図である。
【図９】従来の調光方法の実施形態を示すグラフである。
【発明を実施するための形態】
【００２５】
以下、本発明に係る照明装置として、天井に設置されたシーリングライトの実施の形態について、図面を用いて説明する。
【００２６】
（実施の形態１）
図１は、実施の形態１のシーリングライトの光源の出力を変更した時の光源の強度の変化を示すグラフである。図２は、実施の形態１のシーリングライトが設置された室内を示す概念図である。図３は、実施の形態１のシーリングライトの構成を示すブロック図である。
【００２７】
図２に示すように、室内の天井には室内全体を照明するシーリングライト１が設置されており、シーリングライト１は、ドーム形状のカバー２内部に光源としてのＬＥＤモジュールを備えている。前記カバー２は、例えばポリカーボネートからなる乳白色の拡散部であり、ＬＥＤモジュールから出射された光を拡散することによって、室内全体を照明する。
【００２８】
また、室内の壁面には、シーリングライト１の電源のオン／オフの切り換えおよび光源の調光を行うための操作スイッチ３（以下、スイッチをＳＷと記す）が取付けられている。本実施の形態においては、操作ＳＷ３として、つまみ部４を回転させることにより、光源の強度を０％から１００％までの範囲で選択可能とするロータリーＳＷを用いている。なお、操作ＳＷ３として、ロータリーＳＷに限定されず、つまみ部をスライドさせて光源の強度を選択可能とするスライドＳＷでもよく、他のタイプの操作ＳＷでもよい。さらになお、選択できる光源の強度の範囲についても、０％から１００％の範囲に限定されず、他の範囲であってもよい。また、光源の強度の一例として光源の輝度が用いられる。
【００２９】
また、シーリングライト１は、図３に示すように、外部から交流電圧の供給を受けて直流電圧に変換する電源回路５と、該電源回路５から供給される直流電圧で駆動される光源としてのＬＥＤモジュール６と、該ＬＥＤモジュール６の出力である強度を制御する制御装置７と、ユーザーがシーリングライト１を操作するための操作ＳＷ３を有するインターフェイス部８とから構成される。
【００３０】
さらに、制御装置７は、電源回路５から供給される直流電圧を変圧して制御用マイコン１０を駆動する制御電源供給回路９と、操作ＳＷ３から入力される光源の強度のレベルに応じてＬＥＤモジュール６の出力を決定して制御信号を送信する制御部としての制御用マイコン１０と、制御用マイコン１０からの制御信号に応じてＬＥＤモジュール６をＰＷＭ（Ｐｕｌｓｅ  Ｗｉｄｔｈ  Ｍｏｄｕｌａｔｉｏｎ）制御するスイッチング回路としてのＰＷＭ制御ＦＥＴスイッチ１１と、操作ＳＷ３により選択された光源の強度のレベルについての操作ＳＷ入力信号を制御用マイコン１０に送信する操作ＳＷ入力部１２とから構成される。
【００３１】
次に、シーリングライト１の光源の強度を変更する制御について、図１を用いて詳細に説明する。
【００３２】
図１のグラフの縦軸は光源であるＬＥＤモジュールの強度（％）を示し、グラフの横軸は時間（単位はミリ秒（ｍｓｅｃ））を示している。また、グラフに描かれている３本の折れ線グラフは、それぞれ、菱形の記号で示したグラフが０％（現在強度）から２３％（目標強度）まで光源の強度を変更させた調光制御（以下、調光１と記す）を示し、四角の記号で記したグラフが０％（現在強度）から９％（目標強度）まで光源の強度を変更させた調光制御（以下、調光２と記す）を示し、三角の記号で記したグラフが０％（現在強度）から４％（目標強度）まで光源の強度を変更させた調光制御（以下、調光３と記す）を示す。
【００３３】
なお、本明細書において、現在強度とはユーザーが操作ＳＷ３を用いて光源の強度の変更を開始した開始時の光源の強度を示し、目標強度とは操作ＳＷ３を用いてユーザーが設定した光源の強度を示す。
【００３４】
まず、調光１について説明する。
調光１は、光源の現在強度０％を目標強度２３％に出力を変更して調光を行う場合である。この場合、目標強度と現在強度の差（以下、強度差と記す）は２３％であり、次に説明する調光２または調光３の強度差よりも大きい。
【００３５】
調光１においては、変化率がそれぞれ異なる４段階の調光を行うことによって、現在強度から目標強度に出力を変更して調光を行う。つまり、０％から１％までの段階、１％から２％までの段階、２％から３％までの段階および３％から２３％までの段階において、それぞれの変化率が異なり、変化率は除々に大きくなるように設定している。より具体的に説明すると、０％から１％の段階では、１％を変更するのに要する時間が略１６０ｍｓｅｃであるので変化率は１／１６０（％／ｍｓｅｃ）となり、１％から２％の段階では、１％を変更するのに要する時間が略４０ｍｓｅｃであるので変化率は１／４０（％／ｍｓｅｃ）となり、２％から３％の段階では、１％を変更するのに要する時間が略１０ｍｓｅｃであるので変化率は１／１０（％／ｍｓｅｃ）となり、３％から２３％の段階では、２０％を変更するのに要する時間は略５０ｍｓｅｃであるので変化率は２／５（％／ｍｓｅｃ）となる。
【００３６】
なお、ここで変化率とは、単位時間（１ｍｓｅｃ）あたりに変更する光源の強度の大きさ（％）である。本実施の形態においては、光源の強度の変更を一定の単位出力（１％）ずつ増加または減少させて行うので、単位出力である１％を増加または減少させる時間に依存して変化率が決定される。つまり、単位出力を変更させる時間が長ければ変化率は小さくなり、単位出力を変更させる時間が短ければ変化率は大きくなる。
【００３７】
次に、調光２について説明する。
調光２は、光源の現在強度０％を目標強度９％に出力を変更して調光を行う場合である。この場合、目標強度と現在強度の差である強度差は９％であり、調光１の強度差よりも小さく、次に説明する調光３の強度差よりも大きい。
【００３８】
調光２においては、変化率がそれぞれ異なる３段階の調光を行うことによって、現在強度から目標強度に出力を変更して調光を行う。つまり、０％から１％までの段階、１％から２％までの段階および２％から９％までの段階において、それぞれの変化率が異なり、変化率は除々に大きくなるように設定している。より具体的に説明すると、０％から１％の段階では、１％を変更するのに要する時間が略１６０ｍｓｅｃであるので変化率は１／１６０（％／ｍｓｅｃ）となり、１％から２％の段階では、１％を変更するのに要する時間が略４０ｍｓｅｃであるので変化率は１／４０（％／ｍｓｅｃ）となり、２％から９％の段階では、７％を変更するのに要する時間が略７０ｍｓｅｃであるので変化率は１／７（％／ｍｓｅｃ）となる。
【００３９】
最後に、調光３について説明する。
調光３は、光源の現在強度０％を目標強度４％に出力を変更して調光を行う場合である。この場合、目標強度と現在強度の差である強度差は４％であり、調光１または調光２の強度差よりも小さい。
【００４０】
調光３においては、変化率がそれぞれ異なる２段階の調光を行うことによって、現在強度から目標強度に出力を変更して調光を行う。つまり、０％から１％までの段階および１％から４％までの段階において、それぞれの変化率が異なり、変化率は除々に大きくなるように設定している。より具体的に説明すると、０％から１％の段階では、１％を変更するのに要する時間が略１６０ｍｓｅｃであるので変化率は１／１６０（％／ｍｓｅｃ）となり、１％から４％の段階では、３％を変更するのに要する時間が略１２０ｍｓｅｃであるので変化率は１／４０（％／ｍｓｅｃ）となる。
【００４１】
以上、調光１から調光３までの何れの調光においても、現在強度から目標強度に出力を変更する間に変化率がそれぞれ異なる複数段階の調光を有している。また、その複数段階の調光は、変化率が除々に大きくなるようにしてある。特に、調光の開始時である初期は、変化率が最も小さい１／１６０（％／ｍｓｅｃ）で一定である。
【００４２】
このように調光開始時の初期の期間を調整期間として、調整期間の変化率を最も小さくして、調整期間後の変化率よりも小さくすることにより、ユーザーが光源の出力の変更によって生じるフリッカを知覚することを抑制することが可能となる。これは、人間の目が出力の変更開始時にフリッカを知覚し易いからである。また、変化率を除々に段階的に大きくすることにより、ユーザーの目を光源の出力の変更に自然になれさせることができ、フリッカを知覚することを抑制することができる。なお、本実施の形態においては、調光１が行われる初期の期間（略１６０ｍｓｅｃ）を調整期間としているが、この期間の長さは一例である。
【００４３】
さらに、調光１から調光３の何れの調光においても、強度の変更の開始から終了までの時間が２６０ｍｓｅｃから２８０ｍｓｅｃで略一定になるように設定してある。従って、強度差の大小に関わらず、略一定の期間で調光が終了するので、調光に要する時間が異なることによる違和感をユーザーに与えることを抑制することも可能である。
【００４４】
なお、本実施の形態においては、現在強度と目標強度から強度差を算出し、その強度差の大きさに応じて、調光の段階の段階数が調整して決定されている。本実施形態では、強度差が７％以下であれば２段階の調光段階で調光を行い、強度差が８％以上２１％以下であれば３段階の調光段階で調光を行い、強度差が２２％以上であれば４段階の調光段階で調光を行う。強度差に応じて、調光段階を適宜調整することにより、出力の変更の開始から終了までの時間を略一定にすることできるので、上述の効果を奏することが可能となる。なお、この強度差と調光パターンの関係については、図４の表に示して整理しておく。
【００４５】
また、強度差が最大になった場合でも、調光の段階の段階数を調整することによって、略６００ｍｓｅｃまでに調光は完了するように、変化率（または単位強度を変更する変化時間）が設定されている。また、強度差が小さい場合でも、略２００ｍｓｅｃ程度で調光は完了する。これは、実験により、ユーザーが操作ＳＷを用いて調光を行った場合、強度の設定に略２００ｍｓｅｃから略６００ｍｓｅｃ程度かかることが分かったので、その時間に合わせて設定されている。
【００４６】
図４は、強度差の大きさに応じて選択される調光パターンを示す表である。
強度差が７％以下であれば、調光パターン１が選択され、１％変化するまでは調光テーブル１に従ってＰＷＭ出力値を１ずつ変更し、目標強度までの残りを調光テーブル２に従ってＰＷＭ出力値を１ずつ変更する。
【００４７】
また、強度差が８％以上２１％以下であれば、調光パターン２が選択され、１％変化するまでは調光テーブル１に従ってＰＷＭ出力値を１ずつ変更し、その後２％変化するまでは調光テーブル２に従ってＰＷＭ出力値を１ずつ変更し、目標強度までの残りを調光テーブル３に従ってＰＷＭ出力値を１ずつ変更する。
【００４８】
さらにまた、強度差が２２％以下であれば、調光パターン３が選択され、１％変化するまでは調光テーブル１に従ってＰＷＭ出力値を１ずつ変更し、その後２％変化するまでは調光テーブル２に従ってＰＷＭ出力値を１ずつ変更し、その後３％変化するまでは調光テーブル３に従ってＰＷＭ出力値を１ずつ変更し、目標強度までの残りを調光テーブル４に従ってＰＷＭ出力値を１ずつ変更する。
【００４９】
ここでＰＷＭ出力値とは、単位強度をさらに分割した微小な中間値の強度を実現するためのＰＷＭの出力値であり、中間値の強度を用いて単位強度間を変化させることにより、光源の出力の変化を滑らかにすることができる。なお、調光テーブルとは、ＰＷＭ出力値を１変化させるために用いるＰＷＭ出力データであり、調光テーブル１、調光テーブル２、調光テーブル３、調光テーブル４の順により微小に中間値の強度を実現することができる。
【００５０】
図５は、シーリングライトの光源の目標強度を調光の途中で変更した場合の光源の強度の変化を示すグラフである。
【００５１】
図５のグラフは、図１のグラフと同様に、縦軸は光源であるＬＥＤモジュールの強度（％）を示し、グラフの横軸は時間（単位はミリ秒（ｍｓｅｃ））を示している。また、グラフに描かれている２本の折れ線グラフは、四角の記号で記したグラフが、目標強度の変更をせずに０％（現在強度）から３８％（目標強度）まで出力を変更させた調光制御（以下、調光４と記す）を示し、菱形の記号で記したグラフが、目標強度の変更を調光の途中で行って０％（現在強度）から３８％（目標強度）まで出力を変更させた調光制御（以下、調光５と記す）を示す。
【００５２】
まず、目標強度を変更しない調光４について説明する。
調光４は、光源の現在強度０％に対し目標強度が３８％であるので、強度差が３８％となり、２２％よりも大きい。従って、調光パターン３の４段階の調光を行って、光源の出力の変更を行う。調光の変更は、図５に示すように、光源の強度が、０％から１％の段階、１％から２％までの段階、２％から３％までの段階および３％から３８％までの段階で、単位強度を増加させる時間を徐々に短くして変化率が徐々に大きくなるようにして行う。この調光は、調光１と同様である。
【００５３】
次に、目標強度を変更する調光５について説明する。
【００５４】
本実施の形態では、操作ＳＷによる目標強度の入力値の読み込みを断続的に行うようにしており、一旦目標強度が決定されて出力の変更が開始した後でも、操作ＳＷにより目標強度が変更されると、その変更を読み取って認識することが可能である。
【００５５】
調光５は、最初に目標強度が４％に設定された後、光源の強度が４％に変更された時点で１６％に設定され、さらにその後に光源の強度が１３％に変更された時点で３８％に設定された場合である。
【００５６】
まず、最初の強度差が４％であるので調光パターン１が選択されて２段階の調光が行われる。次に、光源の出力が４％の時点で目標出力が１６％に再設定されると、調光差が１２％（１６％−４％）となり、調光パターン３が選択されて３段階の調光に変更が行われる。しかしここで、既に４％に出力を変更する段階で２段階目の２番目に変化率が小さい調光テーブル２を用いた調光が既に行われているので、次は３段階目の３番目に調光率が小さい調光テーブル３を用いた調光で出力の変更が行われる。
【００５７】
さらに、光源の強度が１３％に変更された時点で、目標強度が３８％に再設定されると、強度差が２５％になるので、４段階の調光の変更に移行する。また、既に１３％に出力を変更する段階で３段階目の３番目に変化率が小さい調光テーブル３を用いた調光が既に行われているので、次は４段階目の変化率が最も大きい調光テーブル４を用いた調光で出力の変更が行われる。
【００５８】
よって、図５に示すように、目標強度の変更が為されない場合に比べて、途中で目標強度が変更された場合の方が出力の変更に要する時間が長くなるが、操作ＳＷ３を用いて目標強度の設定に時間を費やしているので、操作終了から調光終了までの時間がほぼ合致し、調光に要する時間が異なることによる違和感をユーザーに与えることを抑制することができる。また、目標強度の変更があった後に、最も変化率が小さい１段階目の調光から繰返し複数段階で調光を行わずに、次に変化率が大きい調光に移行して出力の変更を行うので、スムーズな調光が可能となる。
【００５９】
次に、実施の形態１のシーリングライトの制御フローを説明する。
図６は、実施の形態１のシーリングライトの操作ＳＷの入力を検出する制御フロー図である。図７および図８は、実施の形態１のシーリングライトのＰＷＭ出力を１変更する制御フロー図である。
【００６０】
図６の制御フローは、シーリングライト１の電源がオンの状態である間、下記図７および図８の制御フローと並行して、１ｍｓeｃ毎に継続して実行する。操作ＳＷ３の入力強度は１０ｍｓｅｃ毎に確定する。そこでまず、新しく操作ＳＷ３の入力強度（ＳＷ＿ＮＥＷ）が確定しているかどうかを判断する（Ｓ１）。新しい操作ＳＷ３の入力強度が確定していると判断すると、前回にＬＥＤ出力値として採用した時のＳＷ入力強度（ＳＷ＿ＢＫ）との差（強度差）となる値（ＳＷ＿Ｄ）を算出する（Ｓ２）。なお、新しい操作ＳＷ入力強度が確定していないと判断すると、操作ＳＷ３の入力を検出する制御フローを終了する（ＲＥＴＵＲＮ）。
【００６１】
次に、目標強度の差（ＳＷ＿Ｄ）が所定の閾値（ＨＳ）より大きいかどうかを判断する（Ｓ３）。目標強度の差（ＳＷ＿Ｄ）が閾値（ＨＳ）より大きければ、新規の目標強度（ＳＷ＿ＮＥＷ）に対応する光源のＰＷＭ出力値（ＰＷＭ＿ＮＥＷ）を算出し（Ｓ４）、目標強度（ＳＤ＿ＢＫ）に新規目標強度（ＳＷ＿ＮＥＷ）を入力して更新する（Ｓ５）。また、目標強度の差（ＳＷ＿Ｄ）が閾値（ＨＳ）より小さければ、操作ＳＷ３の入力を検出する制御フローを終了する（ＲＥＴＵＲＮ）。
【００６２】
次に、算出した光源のＰＷＭ出力値（ＰＷＭ＿ＮＥＷ）が、今回の操作ＳＷ３による入力前に算出されたＰＷＭ出力値（ＰＷＭ＿ＢＫ）と異なり、かつ「ＬＥＤ出力変更要」のフラグがクリアであれば（Ｓ６でＹと判断）、算出されたＰＷＭ出力値（ＰＷＭ＿ＮＥＷ）をＰＷＭ出力値（ＰＷＭ＿ＢＫ）に入力して更新し、調光テーブルを調光テーブル１に設定して（Ｓ７）、操作ＳＷの入力を検出する制御フローを終了する（ＲＥＴＵＲＮ）。なお、上記何れかの条件を満たさなければ、操作ＳＷ３の入力を検出する制御フローを終了する（ＲＥＴＵＲＮ）。
【００６３】
図７および図８の制御フローは、シーリングライト１の電源がオンの状態である間、上記図６の制御フローを並行して、制御フローの実行間隔より短い１００μｓｅｃ毎に継続して実行する。図７および図８の制御フローは、操作ＳＷにより新規の目標強度の入力があり、光源を新たな強度に出力を変更するためにＰＷＭ出力値を１ずつ変更するための制御フローである。
【００６４】
図７および図８の制御フローは、ＰＷＭ出力値を１ずつ変更するための制御フローを２つの制御フローに分割したものであり、図７の制御フローは、ＰＷＭ出力値を１ずつ上げる際の調光テーブルの設定に関する制御フローであり、図８の制御フローは、強度差に応じて調光パターンを選択する制御フローである。
【００６５】
図７および図８の制御フローについて、図６で新たに目標強度の設定がされた（Ｓ７）と仮定して説明する。
【００６６】
まず、「ＬＥＤ出力変更中」のフラグがセットされているかどうかを判断する（Ｓ８）。最初にこの制御フローが実行された時は、「ＬＥＤ出力変更中」のフラグはクリアなので、図８の制御フローに移行する。従って、次に「ＬＥＤ出力変更要」のフラグがセットされており、かつ「ＬＥＤ出力変更中」のフラグがクリアであるかを判断する（Ｓ２９）。上述した通り、Ｓ７にて「ＬＥＤ出力変更要」のフラグがセットされ、「ＬＥＤ出力変更中」のフラグはクリアであるので、Ｓ２９の条件でＹＥＳと判断され、Ｓ３０のフローに移行する。次に、ＰＷＭ出力値（ＰＷＭ＿ＢＫ）が新規に算出されたＰＷＭ出力値（ＰＷＭ＿ＮＥＷ）と同一かどうかを判断する。同一であれば、Ｓ３２のフローに移行し、異なっていれば、ＰＷＭ出力値（ＰＷＭ＿ＢＫ）に新規に算出したＰＷＭ出力値（ＰＷＭ＿ＮＥＷ）を入力して更新する。
【００６７】
次に、現在のＰＷＭ出力値（ＰＷＭ＿ＮＯＷ）と目標強度に対応するＰＷＭ出力値（ＰＷＭ＿ＮＥＷ）が同一かどうかを判断する（Ｓ３２）。同一であれば、ＰＷＭ出力値を変更する必要がないので、「ＬＥＤ出力変更要」のフラグをクリアして（Ｓ３３）、図７および図８の制御フローを終了する（ＲＥＴＵＲＮ）。さらに、Ｓ３２で同一でないと判断されれば、目標強度に対応するＰＷＭ出力値と現在強度に対応するＰＷＭ出力値の差（ＰＷＭ＿Ｉ）を算出する（Ｓ３４）。
【００６８】
調光テーブル２または調光テーブル３であれば（Ｓ３５またはＳ４１）、算出した差に応じて（Ｓ３６、Ｓ３８またはＳ４２）、調光パターンが選択される（Ｓ３７、Ｓ３９、Ｓ４０またはＳ４３）。本実施形態では、差（ＰＷＭ＿Ｉ）が、７以下の範囲、８から２１の範囲または２２以上の範囲かどうかで、調光パターンを選択しているが、この範囲の区別は一例である。
【００６９】
なお、ＰＷＭ出力値の差（ＰＷＭ＿Ｉ）ではなく、目標強度と現在強度の差（ＳＷ＿Ｄ）を用いて、調光パターンの選定を行っても構わない。上記図１および図５の説明においては、こちらを採用したものとして述べた。
【００７０】
調光パターンが選定されると、次に、「ＬＥＤ出力変更中」のフラグをセットして（Ｓ４４）、ＬＥＤ出力を変更した（Ｓ４５）後に、図７および図８の制御フローを終了する（ＲＥＴＵＲＮ）。
【００７１】
その後、１００μｓｅｃ後に再び図７および図８の制御フローを開始する。今回は最初にこの制御フローを実行した時にと異なって、「ＬＥＤ出力変更中」のフラグがセットされているので、現在の調光テーブルに応じて、ＰＷＭ出力値を変更する。
【００７２】
まず、調光テーブルを判断して（Ｓ９、Ｓ１３、Ｓ１７またはＳ２３）、調光テーブルに応じてＰＷＭ出力値を変更する（Ｓ１０、Ｓ１４、Ｓ１８またはＳ２４）。次に、それぞれの調光テーブル毎に決められた変更処理回数に達したかどうかを判断する（Ｓ１１、Ｓ１５、Ｓ１９またはＳ２５）。変更処理回数は、調光テーブル１は１６００回、調光テーブル２は４００回、調光テーブル３は１００回、調光テーブル４は２５回であり、この回数により、光源の強度が１％変更される時間を規定される。
【００７３】
変更処理回数に達していれば、「ＬＥＤ出力変更中」のフラグクリアした上で（Ｓ１２、Ｓ１６、Ｓ２０またはＳ２６）、調光パターンに応じて（Ｓ２１、Ｓ２７）、調光テーブルが再設定される（Ｓ１６、Ｓ２２またはＳ２８）。
変更処理回数に達していなければ、調光テーブルの再設定を行わずに、図８の制御フローに進む。この場合、図８ではＳ２９でＮＯ判定となるので、ＰＷＭ出力値変更（Ｓ４５）を行い制御フローを終了する（ＲＥＴＵＲＮ）。
【００７４】
上述したように、図７および図８の制御フローを実行することにより、現在強度のＰＷＭ出力値（ＰＷＭ＿ＮＯＷ）から目標強度のＰＷＭ出力値（ＰＷＭ＿ＮＥＷ）に変更することにより、光源の出力を変更して調光が為される。
【００７５】
以上の実施の形態の説明において、単位強度を変更させる変化時間の長さを調整して変化率を可変としているが、単位時間あたりに変更させる光源の強度の大きさを調整して変化率を可変としていてもよい。つまり、光源の強度を現在強度から所定の目標強度に変更する初期に調整期間を設け、調整期間の変化率がその後の変化率よりも小さいように設定しておけば、上述の効果を得ることが可能である。
【００７６】
また、以上の実施の形態の説明において、光源としてＬＥＤモジュールを例示して説明したが、これに限定されず、蛍光灯、白熱電球、有機ＥＬ（Ｅｌｃｔｒｏ‐Ｌｕｍｉｎｅｓｃｅｎｃｅ）等の他の光源であってもよい。
【００７７】
また、以上の実施の形態の説明において、照明装置としてシーリングライトを例示したが、これに限定されず、スタンド照明や他のタイプの照明装置であってもよい。
【符号の説明】
【００７８】
１  照明装置（シーリングライト）
３  操作スイッチ
４  つまみ部
５  電源回路
６  光源
７  制御装置
８  インターフェイス部
１０  制御用マイコン
【図１】
2010177136.tif 000003
【図２】
2010177136.tif 000004
【図３】
2010177136.tif 000005
【図４】
2010177136.tif 000006
【図５】
2010177136.tif 000007
【図６】
2010177136.tif 000008
【図７】
2010177136.tif 000009
【図８】
2010177136.tif 000010
【図９】
2010177136.tif 000011